(57)【要約】      （修正有）【課題】構造が簡単で、連結安定性が良好で、道具を使用しなくても連結家具の各部材の着脱が実現できる家具連結部材を提供する。【解決手段】家具連結部材は、互いに係合しかつベース部を有する雄止め具と雌止め具を含み、雄止め具には上が広くて下が狭い係合部が設けられ、雌止め具のベース部には開口が小さくなる挿入孔が設けられる。雄止め具と雌止め具のベース部を、互いに連結すべき家具部材の対応する位置に埋め込み、雄止め具の係合部は外側に露出され、雌止め具の挿入孔と家具部材の表面は水平面に位置し、取付ける際に、係合部を挿入孔の大きい開口部位に沿って挿入し、それから開口が小さくなる方向に沿って所定の推力を用いて前に推進させることにより、雄止め具と雌止め具が連結され、家具が隙間なく連結される。【選択図】図１
0003175277.tif 000002
【実用新案登録請求の範囲】
【請求項１】
互いに係合しかつベース部を有する雄止め具と雌止め具を含む家具連結部材であって、前記雄止め具には上が広くて下が狭い係合部が設けられ、前記雌止め具のベース部には開口が小さくなる挿入孔が設けられていることを特徴とする家具連結部材。
【請求項２】
前記雌止め具の両端には位置決め孔が設けられている請求項１に記載の家具連結部材。
【請求項３】
前記雌止め具の位置決め孔の下方には位置展開溝が設けられていることを特徴とする請求項２に記載の家具連結部材。
【請求項４】
前記雌止め具の両端には、逆歯形部が設けられていることを特徴とする請求項１に記載の家具連結部材。
【請求項５】
前記雄止め具のベース部は、その側表面が球面円弧型になっていることを特徴とする請求項１に記載の家具連結部材。
【請求項６】
前記雄止め具の側表面には、逆歯形部が設けられていることを特徴とする請求項１に記載の家具連結部材。
【請求項７】
前記雌止め具には、接着剤溝が設けられていることを特徴とする請求項１に記載の家具連結部材。
【請求項８】
前記係合部は連結アームを有し、該連結アームは第１末端と第２末端を有し、前記連結アームは第１末端を通じて前記雄止め具のベース部に垂直固接され、第２末端には挟持先が固接され、前記雌止め具の挿入孔は、挿入部と該挿入部に連結して連通される収納部とを含み、前記挿入部の開口は前記収納部の開口より大きくなっていることを特徴とする請求項１に記載の家具連結部材。
【請求項９】
前記係合部の連結アームの中央部は細くなっており、かつ中央部から第２末端に向かって順次に太くなっており、前記止め先は円錐台形であり、前記止め先の直径は前記第２末端の直径より大きくなっていることを特徴とする請求項８に記載の家具連結部材。
【請求項１０】
前記止め先と前記雄止め具のベース部の間には挟持溝が形成され、前記挿入孔には前記挟持溝に収納される挟持棒が設けられていることを特徴とする請求項８に記載の家具連結部材。
【請求項１１】
前記止め先の末端は自由端であり、前記自由端には前記雄止め具のベース部に向かって突起部が設けられ、前記挟持棒には該突起部を収納する凹部が設けられていることを特徴とする請求項１０に記載の家具連結部材。
【請求項１２】
前記止め先の前記挟持溝に位置する面は第１斜面であり、該第１斜面と前記連結アームの間の角度は鈍角であり、前記挟持棒の下表面は第２斜面であり、その傾斜度は第１斜面と同じであることを特徴とする請求項１１に記載の家具連結部材。
【請求項１３】
前記止め先の長さは同一方向上での前記雄止め具のベース部の長さ以下であり、前記止め先の幅は同一方向上での前記雄止め具のベース部の幅以下であることを特徴とする請求項８に記載の家具連結部材。
【請求項１４】
前記雌止め具のベース部の底部には前記挿入孔を密閉する蓋が更に設けられていることを特徴とする請求項１に記載の家具連結部材。
【請求項１５】
所定の厚さを有する第１パネルと第２パネルを含み、前記第１パネルと前記第２パネル上には連結部材を収納する凹部が設けられ、前記連結凹部は互いに係合しかつベース部を有する雄止め具と雌止め具を含み、前記雄止め具と雌止め具はベース部を通じてそれぞれ前記第１パネルと前記第２パネルの凹部に取付けられている組立パネルであって、前記雄止め具上には上が広くて下が狭い係合部が設けられ、前記雌止め具のベース部には開口が小さくなる挿入孔が設けられ、前記係合部が前記挿入孔に挿入され、前記雄止め具と雌止め具が連結され、更に前記雄止め具と前記雌止め具がそれぞれ位置するパネルが連結されていることを特徴とする組立パネル。
【考案の詳細な説明】
【技術分野】
【０００１】
本考案は家具部品の技術領域に関し、特に家具連結部材に関連する。
【背景技術】
【０００２】
従来、家具の各部分の間では通常固定連結方式により連結され、これにより、家具の運搬および搬送過程において容易に損害されると共に、その占用体積が比較的に大きくなるため、運搬に多くのコストが掛かっていた。該問題を解決するために、現在は多くの家具のほとんどは取外し可能になっており、これにより、家具を使用しない時とか運搬する際にその各部分を取外して包装を行うことで、家具の占用空間を減らし、大幅に搬送コストを減少すると同時に、家具の搬送過程で衝突などの原因による損害を有効的に防止することができる。現在、市場でよく見られる取外し可能である家具とは通常ねじとねじ台の係合、または、ねじと蝶番の係合などの方式により家具の各部分が連結されている。このような連結部材による連結の欠点としては、家具の連結箇所に穴明けを行い、長時間に渡るとねじの連結口が大きくなり、安定性が不良になり、連結が不安定で、かつ、家具に対して容易に損害を与えることがあり、また、部材間の連結間隙が比較的に大きいため、家具の美観に影響を与え、着脱過程が面倒で道具を利用して実現しなければならない。
【考案の概要】
【考案が解決しようとする課題】
【０００３】
本考案の目的は、既存の家具の連結止め具の決定に対して、構造が簡単で、連結効果が良好で、道具を利用しなくても家具を便利に着脱する家具連結部材を提供する。
【課題を解決するための手段】
【０００４】
前記目的を達成するため、本考案の家具連結部材は、互いに係合しかつベース部を有する雄止め具および雌止め具を含み、前記雄止め具上には上が広くて下が狭い係合部が設けられ、前記雌止め具のベース部には開口が小さくなる挿入孔が設けられている。
前記雌止め具の両端には位置決め孔が設けられている。
前記雌止め具の位置決め孔の下方には位置展開溝が設けられている。
前記雌止め具の両端面には逆歯形部が設けられている。
前記雄止め具のベース部は、側表面が球面円弧型になっている。
前記雄止め具の側表面には、逆歯形部が設けられている。
前記雌止め具には、接着剤溝が設けられている。
【０００５】
前記係合部は連結アームを有し、該連結アームは第１末端と第２末端を有し、前記連結アームは第１末端を通じて前記雄止め具のベース部に垂直固接され、第２末端には止め先が固接され、前記雌止め具の挿入孔は挿入部および該挿入部に連結しかつ連通する収納部を有し、前記挿入部の開口は前記収納部の開口より大きくなっている。
【０００６】
前記係合部の連結アームの中央部は細くなっており、中央部から第２末端に向かって順次に太くなっており、前記止め先は円錐台形になっており、前記止め先の直径は前記第２末端の直径より大きくなっている。
前記止め先および前記雄止め具のベース部の間には１つの挟持溝が形成され、前記挿入孔には前記挟持溝内に収納できる止め棒が設けられている。
前記挟持棒を前記収納部の開口に位置させることにより、全体または一部の収納部の開口が覆われるようになっている。
【０００７】
前記止め先の末端は自由端であり、前記自由端には前記雄止め具のベース部を指向する突起部が設けられており、前記挟持棒には該突起部を収納できる凹部が設けられている。
【０００８】
前記止め先の前記挟持溝に位置する面が第１斜面であり、該第１斜面と前記連結アームとの間の角度は鈍角であり、前記挟持棒の下表面は第２斜面であり、その傾斜度は第１斜面と同じである。
前記止め先の長さは同一方向における前記雄止め具のベース部の長さ以下であり、前記止め先の幅は同一方向における前記雄止め具のベース部の幅以下である。
前記雌止め具のベース部の底部には前記挿入孔を密閉する蓋が設けられている。
【０００９】
本考案の組立パネルは、所定の厚さを有する第１パネルと第２パネルを含み、前記第１パネルと前記第２パネルにはそれぞれ連結部材が収納可能な凹部が設けられ、前記連結部材は、互いに係合しかつベース部を有する雄止め具および雌止め具を含み、前記雄止め具および雌止め具はベース部を通じてそれぞれ前記第１パネルおよび前記第２パネルの凹部に取付けられ、前記雄止め具上には上が広くて下が狭い係合部が設けられており、前記雌止め具のベース部には開口が小さくなる挿入孔が設けられ、前記係合部が前記挿入孔に挿入されることにより、前記雄止め具および雌止め具を連結し、更に前記雄止め具と前記雌止め具の位置する面を連結する。
【考案の効果】
【００１０】
本考案の家具連結部材によれば、互いに係合しかつベース部を有する雄止め具および雌止め具を含み、前記雄止め具上には上が広くて下が狭い係合部が設けられており、前記雌止め具のベース部には開口が小さくなる挿入孔が設けられ、雄止め具と雌止め具のベース部を、互いに連結を必要とする家具部材の相応位置に埋め込み、雄止め具の係合部は外側に露出され、雌止め具の挿入孔と家具部材の表面は水平面に位置し、取付ける際に、係合部を挿入孔の大きい開口部位に沿って挿入し、それから開口が小さくなる方向に沿って所定の推力を用いて前に推進させることにより、雄止め具と雌止め具が連結され、家具が隙間なく連結されることができ、本考案の連結部材は構造が簡単で、連結安定性が良好で、道具を使用しなくても連結家具の各部材の着脱が実現でき、繰返し着脱も家具に対して損害を与えなく、家具の着脱工程を単純化し、効率的に家具を保護することができる。
【図面の簡単な説明】
【００１１】
【図１】本考案の家具連結部材の第１実施例の雌止め具の平面図である。
【図２】本考案の家具連結部材の第１実施例の雌止め具の側面図である。
【図３】本考案の家具連結部材の第１実施例の雄止め具の側面図である。
【図４】本考案の家具連結部材の第１実施例の雄止め具の平面図である。
【図５】本考案の家具連結部材の第２実施例の雄止め具の正面図である。
【図６】本考案の家具連結部材の第２実施例の雌止め具の平面図である。
【図７】本考案の家具連結部材の第２実施例の雌止め具と雄止め具の係合使用状態を示す断面図である。
【図８】本考案の家具連結部材の第３実施例の雄止め具の正面図である。
【図９】本考案の家具連結部材の第３実施例の雌止め具の正面図である。
【図１０】本考案の家具連結部材の第３実施例の雌止め具の断面図である。
【図１１】本考案の家具連結部材の第３実施例の雌止め具と雄止め具の係合使用状態を示す断面図である。
【図１２】本考案の家具連結部材の第４実施例の雄止め具の正面図である。
【図１３】本考案の家具連結部材の第５実施例の雌止め具と雄止め具の係合使用状態を示す断面図である。
【図１４】本考案の家具連結部材の第１実施例の雌止め具と雄止め具の係合使用状態を示す断面図である。
【図１５】本考案の家具連結部材の第３実施例の雌止め具と雄止め具の係合使用状態を示す断面図である。
【考案を実施するための形態】
【００１２】
下記では図面に結合して本考案に対して更に詳しく説明する。
【００１３】
図１から４のように、家具連結部材は、互いに係合しかつベース部を有する雄止め具１と雌止め具２を含み、前記雄止め具１上には上が広くて下が狭い係合部３が設けられ、前記雌止め具２のベース部には開口が小さくなる挿入孔４が設けられている。
【００１４】
該連結部材を使用する際に、雄止め具１と雌止め具２のベース部をそれぞれ互いに連結する家具部材の相応位置に埋め込み、雄止め具１の係合部３を外側に露出し、雌止め具２の挿入孔４と家具部材の表面を同じ水平面上に位置させ、組み立てる時に、係合部３を挿入孔４の大きい開口箇所に沿って挿入し、それから開口が小さくなる方向に沿って所定の推力を利用して前に推進させることで、雄止め具１と雌止め具２の係合連結を実現し、それにより、家具が隙間の無い連結を実現でき、この連結止め具は構造が簡単で、連結安定性が良好で、道具を利用しなくても連結される家具の各部分が着脱可能になり、繰返し着脱であっても家具に対して損害を与えない。家具の着脱工程を単純化にし、家具を効率的に保護することができる。
【００１５】
前記雌止め具２の両端には位置決め孔５が設けられ、位置決め孔５の下方には位置展開溝６が設けられ、位置決め孔５の設置は主に雌止め具２と連結を必要とする家具部材の間の連結を更に安定するためであり、位置を決める際にねじを用いて位置決め孔５を通じて家具部材上に固定し、位置展開溝６の設置は、雌止め具２とねじを更に安定に固定すると共に、雌止め具２も効率的に保護することができる。
【００１６】
前記雌止め具２上には接着剤溝７が設けられ、接着剤溝７の設置は主に雌止め具２を家具部材に埋設して接着剤を使用する際に、家具部材との連結を更に堅固にすることができ、接着剤が雌止め具２と家具部材の間に浸透されることにより、接着剤溝を設けることで両者間の接着力が更に大きくなり、安定性が更によくなる。
【００１７】
前記雌止め具２の両端面には逆歯形部８が設けられ、前記雄止め具１のベース部の表面は球面円弧型であり、前記雄止め具１の側表面には逆歯形部８が設置されている。前記雄止め具１と雌止め具２の逆歯形部８は咬合歯形部であり、その歯の数、大きさ、外向きの咬合の仰角および円弧度は実際の要求に応じて設計されることができ、雄止め具１、雌止め具２と家具連結部材の間の摩擦および作用応力を増加させることにより、それらの間が更に安定的になり、頻繁に着脱しても緩めまたは脱落が発生しなくなる。
【００１８】
図５では、本考案の第２実施例を示し、該実施例の雄止め具１の係合部３は連結アーム３１を有する。該連結アーム３１は両端に位置する第１末端３１１と第２末端３１３、中央に位置して前記第１末端３１１と第２末端３１３を連結する中央部３１２を含む。前記連結アーム３１は前記第１末端３１１を通じて前記雄止め具１のベース部に固接され、第２末端を通じて止め先３２を固接する。前記止め先３２は、前記連結アーム３１が固接された雄止め具１のベース部平面と平行する。
【００１９】
図５に示すように、前記連結アーム３１の中央部３１２は細くなっており、かつ中央部３１２から第２末端３１３に向かって順次に太くなっている。前記止め先３２は円錐台形であり、前記止め先３２の直径は前記第２末端３１３の直径より大きくなっており、これにより、前記止め先３２は前記連結アーム３１より太くなり、これにより、係合部３は上部が広くて下部が狭くなっている。
【００２０】
図６は図５の雄止め具１に係合して使用される雌止め具２を示す。図６のように、前記雌止め具２の挿入孔４は挿入部４１と該挿入部４１に連結して連通される収納部４３を含む。前記挿入部４１の前記雌止め具２のベース部上での開口は上下が一致しており、かつ前記係合部３を収納するようになっており、前記挿入部４３の雌止め具１のベース部上での開口は上から下へ大きく変更し、かつ前記係合部３と緊密に係合する。
【００２１】
図７のように、前記収納４３の雌止め具２のベース部上での開口は上から下へ大きく変更し、前記係合部３は上が広くて下が狭くなっており、前記係合部３は前記挿入部４１に挿入され、かつ前記挿入孔４内で前記挿入部４３に摺動し、前記係合部３の止め先３２と前記収納部４３の下部が緊密に係合し、連結アーム３１と前記収納部４３の上部が緊密に係合することで前記止め具先３を挟持し、これにより、前記係合部３を前記収納部４３の上部または下部から取出すことができなくなる。
【００２２】
図８では本考案の第３実施例を示し、該実施例の係合部３は連結アーム３１’を有し、該連結アーム３１’の一端は前記雄止め具１のベース部に連結され、該連結アーム３１’の他端は止め具先３２’に固接する。前記止め先３２’と前記連結アーム３１’が固接するベース部平面は平行し、かつ前記止め先３２’と前記雄止め具１のベース部の間は挟持溝３３を形成する。前記止め先３２’の末端は自由端３５であり、前記自由端３５には前記雄止め具のベース部を指向する突起部３６が設けられている。
【００２３】
図９および１０のように、前記挿入孔４には挟持棒４４が設けられ、前記挟持棒４４の一部は前記収納部４３’の前記雌止め具２のベース部上での開口を覆い、これにより、前記収納部４３’の前記雌止め具２のベース部上での開口は、前記挿入部４１’の前記雌止め具２のベース部上での開口より小さくなっている。前記雌止め具２のベース部の下表面には蓋９が設けられ、蓋９は前記挿入孔４を密閉する。
前記挟持棒４１の下表面には凹部４５が設けられ、該凹部４５は前記突起部３６を収納することができる。
【００２４】
図１１のように、前記雄止め具１と前記雌止め具２を係合させて使用する際に、前記係合部３は前記挿入孔４内に挿入され、かつ前記挿入孔４に沿って摺動し、これにより、前記挟持棒４１は前記挟持溝３３に収納され、前記突起部３６は前記凹部４５に収納され、更に前記雄止め具１と前記雌止め具２を連結する。
【００２５】
前記係合部３の連結アーム３１’と止め先３２’の大きさは実際の要求に応じて設計されることができる。図９および図１２では形状が類似し大きさが異なる連結アーム３１（３１’）と止め先３２（３２’）を示す。
【００２６】
また、図１３のように、前記止め先３２’の前記挟持溝３３に位置する面を第１斜面３７として設計することができ、該第１斜面３７と前記連結アーム３１’との間の角度は鈍角であり、これに応じて、前記挟持棒４１の下表面は第２斜面４６であり、その傾斜度は第１斜面３７と同じである。
【００２７】
図１４では、組立パネルを示し、前記組立パネルは所定の厚さを有する第１パネル１００と第２パネル２００を有し、前記第１パネル１００と前記第２パネル２００上には連結部材を収納する凹部１０１と２０１が設けられ、前記連結部材は互いに係合し、かつベース部を有する雄止め具１と雌止め具２を含み、前記雄止め具１と雌止め具２はベース部を通じてそれぞれ前記第１パネル１００と前記第２パネル２００の凹部１０１および２０１に取り付けられ、前記雄止め具１上には上が広くて下が狭い係合部３が設置されており、前記雌止め具２のベース部には開口が小さくなる挿入孔４が設けられ、前記係合部３は前記挿入孔４に挿入され、これにより、前記雄止め具１と雌止め具２を連結し、更に前記雄止め具と前記雌止め具が位置するパネル１００と２００を連結する。
【００２８】
図１５では、組立パネルを示し、前記パネルは所定の厚さを有する第１パネル１００と第２パネル２００を含み、前記第１パネル１００と前記第２パネル２００上には連結部材を収納する凹部１０１と２０１が設けられ、前記連結部材は互いに係合され、かつベース部を有する雄止め具１と雌止め具２を含み、前記雄止め具１と雌止め具２はベース部を通じてそれぞれ前記第１パネル１００と前記第２パネル２００の凹部１０１と２０１に取付けられ、前記雄止め具１上には上が広くて下が狭い係合部３が設けられ、前記雌止め具２のベース部には開口が小さくなる挿入孔４が設けられており、前記係合部３は連結アーム３１’を有し、該連結アーム３１’の一端は前記雄染め具１のベース部に連結され、該連結アーム３１’の他端は止め先３２’に固接され、前記止め先３２’と前記連結アーム３１’が固接するベース部平面は平行し、かつ前記止め先３２’と前記雄止め具１のベース部間には挟持溝３３が形成されており、前記雄挿入孔４には挟持溝に収納される挟持棒４１が設けられ、前記係合部３は前記挿入孔４に挿入され、かつ前記挿入孔４に沿って摺動し、前記挟持棒４１が前記挟持溝３３に収納されることで、前記雄止め具１と雌止め具２を連結し、更に前記雄止め具１と前記雌止め具２が位置するパネル１００と２００を連結する。
【００２９】
以上の内容は具体的で最適的な実施方式を結合して本考案に対して更に詳細に説明した内容であり、本考案の具体的な実施はこの説明した内容のみに限られない。本考案の技術分野に属する普通技術者において、本考案の構想を離れない限り、その構成構造に対する多くの変更が可能である。若干の簡単な変更または交替は、本考案の保護範囲として見なすべきである。
【図１】
0003175277.tif 000003
【図２】
0003175277.tif 000004
【図３】
0003175277.tif 000005
【図４】
0003175277.tif 000006
【図５】
0003175277.tif 000007
【図６】
0003175277.tif 000008
【図７】
0003175277.tif 000009
【図８】
0003175277.tif 000010
【図９】
0003175277.tif 000011
【図１０】
0003175277.tif 000012
【図１１】
0003175277.tif 000013
【図１２】
0003175277.tif 000014
【図１３】
0003175277.tif 000015
【図１４】
0003175277.tif 000016
【図１５】
0003175277.tif 000017